(57)【要約】【課題】排水中のごみや髪の毛を捕集部にこびりつかせることなく一箇所に捕集でき、排水装置内を自掃することができ、捕集部の形状を任意の形状に設計することができる排水装置。【解決手段】排水が流入する排水口１と、排水口１を上部に構成したケーシング状の箱体２と、別流路からの排水を箱体２内に流入させる枝管３と、箱体２より下流に構成されるケーシング状のトラップ室４と、箱体２とトラップ室４を連通して接続する接続部５と、トラップ室４の下流に構成されて排水を排出する排出口６と、トラップ室４の排出口６と共に封水を形成する封水パーツ７と、排水口１に取り付けられ、且つ箱体２内に浸水するように配置して排水中のゴミを捕集するカゴ状の捕集部１１と、から構成される排水装置において、前記枝管３から捕集部１１に向けて方向性をもたせた水流が流れこむ、水流規制装置１４を箱体２内に構成した。【選択図】  図１
2009270344.tif 000002
【特許請求の範囲】
【請求項１】
排水が流入する排水口１と、
排水口１を上部に構成したケーシング状の箱体２と、
別流路からの排水を箱体２内に流入させる枝管３と、
箱体２より下流に構成されるケーシング状のトラップ室４と、
箱体２とトラップ室４を連通して接続する接続部５と、
トラップ室４の下流に構成されて排水を排出する排出口６と、
トラップ室４の排出口６と共に封水を形成する封水パーツ７と、
排水口１に取り付けられ、且つ箱体２内に浸水するように配置して排水中のゴミを捕集するカゴ状の捕集部１１と、
から構成される排水装置において、
前記枝管３から捕集部１１に向けて方向性をもたせた水流が流れこむ、水流規制装置１４を箱体２内に構成したことを特徴とする排水装置。
【請求項２】
前記水流規制装置１４は箱体２に対し別体に構成され、且つ着脱自在に構成されていることを特徴とする前記請求項１に記載の排水装置。
【請求項３】
前記封水パーツ７は脱着自在に配置構成されていることを特徴とする前記請求項１又は請求項２のいずれか一つに記載の排水装置。
【請求項４】
前記封水パーツ７は接続部５に配置構成されていることを特徴とする前記請求項１乃至請求項３のいずれか一つに記載の排水装置。
【請求項５】
前記水流規制装置１４を、箱体２底面に構成したリブとしたことを特徴とする前記請求項１乃至請求項４のいずれか一つに記載の排水装置。
【請求項６】
前記水流規制装置１４のリブを、枝管３と対向する面に角度を備えて構成したことを特徴とする前記請求項５に記載の排水装置。
【請求項７】
前記水流規制装置１４のリブを、箱体２底面から上方に向かって立設して構成した多角錐状としたことを特徴とする前記請求項５に記載の排水装置。
【請求項８】
前記水流規制装置１４のリブを、箱体２底面から上方に向かって立設して構成した円錐状としたことを特徴とする前記請求項５に記載の排水装置。
【請求項９】
前記水流規制装置１４のリブを、箱体２底面から上方に向かって立設して構成した多角柱状としたことを特徴とする前記請求項５に記載の排水装置。
【請求項１０】
前記水流規制装置１４のリブを、箱体２底面から上方に向かって立設して構成した円柱状としたことを特徴とする前記請求項５に記載の排水装置。
【請求項１１】
前記水流規制装置１４のリブを、枝管３に対向する面がなだらかな湾曲面を備えたことを特徴とする前記請求項５に記載の排水装置。
【請求項１２】
前記水流規制装置１４のリブを、箱体２底面から上方に向かって立設して構成した、上面視三日月形状のリブとしたことを特徴とする前記請求項５に記載の排水装置。
【請求項１３】
前記水流規制装置１４を、箱体２内の任意の箇所に脱着可能に配置されて、且つ水流を規制する整流羽根１６を備えて構成した整流パーツ１５としたことを特徴とする前記請求項１乃至請求項４のいずれか一つに記載の排水装置。
【請求項１４】
前記整流パーツ１５の整流羽根１６を、箱体２上方へ向かって湾曲して構成したことを特徴とする前記請求項１３に記載の排水装置。
【請求項１５】
前記整流パーツ１５の整流羽根１６を、箱体２下方へ向かって湾曲して構成したことを特徴とする前記請求項１３に記載の排水装置。
【請求項１６】
前記捕集部１１に、閉塞部２４を構成したことを特徴とする前記請求項１乃至請求項１５のいずれか一つに記載の排水装置。
【発明の詳細な説明】
【技術分野】
【０００１】
本発明は、下水管内の臭気や害虫が室内側に逆流しないように構成する封水部を備えた排水装置に関するものである。
【背景技術】
【０００２】
従来よく知られた排水装置としては、例えば図１０に図示した排水装置がある。以下に図１０に図示した接続構造の従来例を、図面を参照しつつ説明する。
図１０の従来例の排水装置は、浴室内及び浴槽の排水に用いられるものである。
この従来例は、浴槽と、浴槽パンと、洗い場パンと、エルボ部材と、排水装置と、下水管と、から構成される。
浴槽は槽体であって、底部に内部の排水を排水するための開口を構成して成る。
浴槽パンは、浴槽を載置する防水パンであって、底部に開口を構成して、浴槽からの排水と浴槽パン上の排水を下水へと排水するための排水開口を構成して成る。
洗い場パンは、洗い場を形成する防水パンであり、底部に排水口を開口して構成されている。
エルボ部材は、一端を浴槽パンの開口の裏側に取り付けられる部材であって、断面視略Ｌ字状の構成とし、他端を後述する排水装置に接続して構成される。
排水装置は、下記に記載する排水口と、箱体と、枝管と、防臭筒と、封水部と、排出口と、捕集部と、から構成される。
排水口は、排水が箱体内部に流入するための開口であって、後述する箱体の上方に構成される。
箱体は、内部に排水を通過・貯水するための部材であり、上面に前記排水口を構成し、側面に排出口を構成して成る。また、その内部には後述する封水部を構成して成る。
枝管は、箱体の側面に構成され、箱体の内周面方向に指向して開口され、且つエルボ部材に接続されて成る。また、枝管の箱体に接続される開口の形状は、縦長状の四角形状に構成されて成る。
防臭筒は、上下開口の筒状であって、前記箱体の排水口に脱着自在に取り付けられて構成されている。また、前記箱体内に構成されている溜まり水内に配置されるよう取り付けられる。
封水部は、前記箱体内に貯水する排水と防臭筒とで構成される排水の溜まり水であり、排水が一時的に箱体内に貯水し、その内部に防臭筒が配置されることで封水部を構成する。当該封水部は、下水側からの臭気や害虫を室内側へ逆流させないよう排水で封止するようになっている。
排出口は、箱体側面に構成され、箱体内の排水を箱体外へ排出する構成となっている。尚、排出口は下水管と接続されて成る。
捕集部は、排水口に着脱自在に取り付けられる網目状の排水中のゴミや髪の毛を捕集する部材である。尚、当該捕集部は、捕集されたゴミや髪の毛が中心に集まるように捕集部分をカゴ状として、更に上面視円形状の捕集部分を構成して成る。
【０００３】
上記の構成の従来の排水装置は以下のように配置・施工される。
浴槽パンと洗い場パンを隣り合わせに配置させ、浴槽を浴槽パンに載置し、その後浴槽の開口とエルボ部材を浴槽パンの開口を介して接続させ、浴槽パンの開口の裏面にエルボ部材を接続する。エルボ部材は予め工場などで排水装置の箱体の枝管と接続されて成る。そして、洗い場パンの開口裏面に排水装置の排水口が接続して構成される。その後排水口から防臭筒をその下端が防臭椀内に配置されるよう排水口に着脱自在に取り付けて構成される。
【０００４】
上記のように配置された従来の排水装置は以下のような排水の流れとなる。
浴槽から発生した排水は、浴槽の開口から管体と浴槽パンの開口を介してエルボ部材内に流入する。その後、エルボ部材内の排水は枝管を介して排水装置の箱体内に流入する。箱体内に流入した排水は、封水部を介して最終的には箱体側面に構成された排出口から、排出口に接続された下水管側へ排水される。
尚、この浴槽からの排水が箱体内に流入した時には、箱体内周面に指向するように構成された枝管内から箱体内へ排出されるが、このときに排水は箱体の内周面に沿うように渦を巻き、更には防臭筒内部に渦を発生させ旋回するようにして上昇させる。そうすると、防臭筒内を旋回しながら上昇した排水は捕集部及び排水口まで上昇し、排水口近傍に存在する髪の毛やゴミ、並びに捕集部で捕集されてへばりついた髪の毛やゴミを、上昇した旋回流で剥がし取るようになっている。また、捕集部を上面視円形に構成していることから、防臭筒内を旋回しながら上昇した排水が、捕集部内で円滑に旋回流を発生させることが出来るので、捕集部内の髪の毛やゴミを剥がしとって一箇所に集めやすい構造と成っている。
浴槽パン上に何らかの理由で発生した排水は、浴槽パンの開口からエルボ材内に流入し、その後の排水の流れは浴槽からの排水と同じ排水経路となる。
洗い場パン上で発生した排水は、洗い場パンの開口に取り付けられた排水装置の排水口から箱体内へ流入し、その後封水部を通過し最終的には箱体側面に構成された排出口から下水管へと排水される。
【０００５】
次に、この他によく知られた従来の排水装置としては、例えば図１１に図示した排水装置がある。以下に図１１に図示した排水装置の従来例を、図面を参照しつつ説明する。
図１１の従来例の排水装置は、浴室内及び浴槽の排水に用いられるものである。
この従来例は、浴槽と、浴槽パンと、洗い場パンと、エルボ部材と、排水装置と、下水管と、から構成される。
浴槽は槽体であって、底部に内部の排水を排水するための開口を構成して成る。
浴槽パンは、浴槽を載置する防水パンであって、底部に開口を構成して、浴槽からの排水と浴槽パン上の排水を下水へと排水するための排水開口を構成して成る。
洗い場パンは、洗い場を形成する防水パンであり、底部に排水口を開口して構成されている。
エルボ部材は、一端を浴槽パンの開口の裏側に取り付けられる部材であって、断面視略Ｌ字状の構成とし、他端を後述する排水装置に接続して構成される。
排水装置は、下記に記載する排水口と、箱体と、枝管と、封水部と、排出口と、捕集部と、から構成される。
排水口は、排水が箱体内部に流入するための開口であって、後述する箱体の上方に構成される。
箱体は、内部に排水を通過・貯水するための部材であり、上面に前記排水口を構成し、側面に排出口を構成して成る。また、箱体内部に、上部に排水口が配置される第１流入室及び流出口を側部に構成する第２流入室とに区画する区画壁を立設して構成されている。尚、当該区画壁は、第１流入室側内壁面が湾曲状に構成され、且つ下部には排水が通過することの出来る排水空間が開口して構成される。
枝管は、エルボ部材に接続される部材であり、箱体の側面に構成され、箱体の内周面方向に指向して開口されて成る。また、当該枝管は、箱体との接続箇所の断面視が略長方形形状であって、枝管からの排水が箱体内に排水が流入する際には、長方形形状となった断面形状部分で排水が勢いづき、ジェット水流となる。
封水部は、前記区画壁の下端から、第２流入室の排出口までの高さに貯水される排水で構成され、当該箇所に排水が常に貯水することから内部に封水を形成し、当該封水によって下水側からの臭気や害虫を室内側へ逆流させることがない。
排出口は、箱体側面に構成され、箱体内の排水を箱対外へ排出する構成となっている。尚、排出口は下水管と接続されて成る。
捕集部は、排水口に着脱自在に取り付けられる網目状の排水中のゴミや髪の毛を捕集する部材である。尚、当該捕集部は、捕集されたゴミや髪の毛が中心に集まるように捕集部分をカゴ状として、更に上面視円形状の捕集部分を構成して成る。
【０００６】
上記の構成の従来の排水装置は以下のように配置・施工される。
浴槽パンと洗い場パンを隣り合わせに配置させ、浴槽を浴槽パンに載置し、その後浴槽の開口とエルボ部材を浴槽パンの開口を介して接続させ、浴槽パンの開口の裏面にエルボ部材を接続する。エルボ部材は予め工場などで排水装置の箱体の枝管と接続されて成る。そして、洗い場パンの開口裏面に排水装置の排水口が接続して構成される。その後排水口から防臭筒をその下端が防臭椀内に配置されるよう排水口に着脱自在に取り付けて構成される。
【０００７】
上記のように配置された従来の排水装置は以下のような排水の流れとなる。
浴槽から発生した排水は、浴槽の開口から浴槽パンの開口を介してエルボ部材内に流入する。その後、エルボ部材内の排水は枝管を介して排水装置の箱体内に流入する。箱体内に流入した排水は、第１流入室に流れ込み、区画壁の排水空間を介して第２流入室を通過し、結果的に区画壁と排出口で構成された封水部を通過して、排出口から箱体外へと排出される。また、箱体から排出された排水は、最終的には排出口から下水管へと排水される。
尚、この浴槽からの排水が箱体内に流入時には、箱体内周面に指向するように構成された枝管内から箱体内へ排出されるが、このときに排水は、枝管と箱体の接続面が断面視長方形となっているから、枝管から箱体内へ流入する際、排水が第１流入室内の内側壁面全体にあたるようになり、更には枝管が内側壁面に指向するように構成されているから、排水が内側壁面に沿うように排水が当接しながら旋回流となり、第１流入室の区画壁の内周面に沿うように渦を巻き、更には第１流入室も内側面に沿うように渦を発生させ旋回するようにして上昇する。そして、枝管の箱体の接続箇所が断面視長方形形状となっているから、当該形状がベンチュリ機構となり、水圧差により排水が勢いよくなりジェット流となる。そうすると、枝管からのジェット流により第１流入室の内壁面内を旋回しながら上昇した排水は捕集部及び排水口まで上昇し、排水口近傍に存在する髪の毛やゴミ、並びに捕集部で捕集されてへばりついた髪の毛やゴミを、上昇した旋回流で剥がし取るようになっている。また、捕集部は上面視円形のカゴ状としたことから、排水が内側壁を沿うように上昇した旋回流により、捕集部で捕集された髪の毛やゴミは、一箇所に集まるようになる。
浴槽パン上に何らかの理由で発生した排水は、浴槽パンの開口からエルボ材内に流入し、その後の排水の流れは浴槽からの排水と同じ排水経路となる。
洗い場パン上で発生した排水は、洗い場パンの開口から排水装置の排水口から箱体内へ流入し、その後封水部を通過し最終的には箱体側面に構成された排出口から下水管へと排水
される。
【０００８】
【特許文献１】特開２００７−２１１５８１号公報
【特許文献２】特開２００７−２１１５７９号公報
【発明の開示】
【発明が解決しようとする課題】
【０００９】
従来例のような排水装置は、以下のような問題点があった。
従来例の排水装置は、装置本体の内周面及び防臭筒の内周面により内で渦を発生させるようにしているから、装置本体および防臭筒内周面に沿うように旋回流が発生される。
このように内面に沿うような渦が発生するため、捕集部の一定部分に髪の毛や排水ゴミを集中させることができ、捕集部からゴミを捨てやすくできるものの、旋回流の発生手段が箱体の内側壁内面及び防臭筒内面に沿うように発生させている為、捕集部も排水装置・防臭筒の内周面に沿うような形状でないと円滑に一定部分にゴミや髪の毛を捕集することはできない。そうすると、捕集部の形状が必然的に上面視円形でないと下方部の底面に捕集することが出来ない。このように、捕集部の形状が上面視箱体の内側壁や防臭筒に沿うように円形状であると、捕集部の設計に制約が発生されてしまうことから、捕集部の設計の自由度が制限されていた。
また、上記のように捕集部の形状が限定されると、捕集部の形状が箱体の内側壁の内周面や防臭筒に沿う形状となってしまうため、必然的に大きくなってしまい、捕集部を清掃する際に非常に手間取ってしまう。
【００１０】
従って、本発明の排水装置は、以下の課題を解決するために発明された。
１．捕集部で捕集された排水中のごみや髪の毛を、捕集部にこびりつかせることなく捕集できる排水装置。
２．捕集部で捕集された排水中のごみや髪の毛を一箇所に集めることができる排水装置。
３．排水装置内を自掃することができる排水装置。
４．捕集部の形状を任意の形状に設計することが出来る排水装置。
５．捕集部の形状を、より清掃性が向上する形状に設計できる排水装置。
【課題を解決するための手段】
【００１１】
請求項１の排水装置は、排水が流入する排水口１と、排水口１を上部に構成したケーシング状の箱体２と、別流路からの排水を箱体２内に流入させる枝管３と、箱体２より下流に構成されるケーシング状のトラップ室４と、箱体２とトラップ室４を連通して接続する接続部５と、トラップ室４の下流に構成されて排水を排出する排出口６と、トラップ室４の排出口６と共に封水を形成する封水パーツ７と、排水口１に取り付けられ、且つ箱体２内に浸水するように配置して排水中のゴミを捕集するカゴ状の捕集部１１と、から構成される排水装置において、前記枝管３から捕集部１１に向けて方向性をもたせた水流が流れこむ、水流規制装置１４を箱体２内に構成したことを特徴とする排水装置である。
【００１２】
請求項２の排水装置は、前記水流規制装置１４は箱体２に対し別体に構成され、且つ着脱自在に構成されていることを特徴とする前記請求項１に記載の排水装置である。
【００１３】
請求項３の排水装置は、前記封水パーツ７は脱着自在に配置構成されていることを特徴とする前記段落００１１又は段落００１２のいずれか一つに記載の排水装置である。
【００１４】
請求項４の排水装置は、前記封水パーツ７は接続部５に配置構成されていることを特徴とする前記段落００１１乃至段落００１３のいずれか一つに記載の排水装置である。
【００１５】
請求項５の排水装置は、前記水流規制装置１４を、箱体２底面に構成したリブとしたことを特徴とする前記段落００１１乃至段落００１４のいずれか一つに記載の排水装置である。
【００１６】
請求項６に記載の排水装置は、前記水流規制装置１４のリブを、枝管３と対向する面に角度を備えて構成したことを特徴とする前記段落００１５に記載の排水装置である。
【００１７】
請求項７に記載の排水装置は、前記水流規制装置１４のリブを、箱体２底面から上方に向かって立設して構成した多角錐状としたことを特徴とする前記段落００１５に記載の排水装置である。
【００１８】
請求項８に記載の排水装置は、前記水流規制装置１４のリブを、箱体２底面から上方に向かって立設して構成した円錐状としたことを特徴とする前記段落００１５に記載の排水装置である。
【００１９】
請求項９に記載の排水装置は、前記水流規制装置１４のリブを、箱体２底面から上方に向かって立設して構成した多角柱状としたことを特徴とする前記段落００１５に記載の排水装置である。
【００２０】
請求項１０に記載の排水装置は、前記水流規制装置１４のリブを、箱体２底面から上方に向かって立設して構成した円柱状としたことを特徴とする前記段落００１５に記載の排水装置である。
【００２１】
請求項１１に記載の排水装置は、前記水流規制装置１４のリブを、枝管３に対向する面がなだらかな湾曲面を備えたことを特徴とする前記段落００１５に記載の排水装置である。
【００２２】
請求項１２に記載の排水装置は、前記水流規制装置１４のリブを、箱体２底面から上方に向かって立設して構成した、上面視三日月形状のリブとしたことを特徴とする前記段落００１５に記載の排水装置である。
【００２３】
請求項１３に記載の排水装置は、前記水流規制装置１４を、箱体２内の任意の箇所に脱着可能に配置されて、且つ水流を規制する整流羽根１６を備えて構成した整流パーツ１５としたことを特徴とする前記段落００１１乃至段落００１４のいずれか一つに記載の排水装置である。
【００２４】
請求項１４に記載の排水装置は、前記整流パーツ１５の整流羽根１６を、箱体２上方へ向かって湾曲して構成したことを特徴とする前記段落００２３に記載の排水装置である。
【００２５】
請求項１５に記載の排水装置は、前記整流パーツ１５の整流羽根１６を、箱体２下方へ向かって湾曲して構成したことを特徴とする前記段落００２３に記載の排水装置である。
【００２６】
請求項１６に記載の排水装置は、前記捕集部１１に、閉塞部２４を構成したことを特徴とする前記段落００１１乃至段落００２５のいずれか一つに記載の排水装置である。
【発明の効果】
【００２７】
本発明の排水トラップは、以下の効果を奏する。
請求項１に記載の本発明は、前記捕集部１１に向けて方向性をもたせた水流が流れこむ、水流規制装置１４を箱体２内に構成したことから、捕集部１１内に、方向性を持たせた排水が流入するので、捕集部１１に捕集された排水ゴミや髪の毛が捕集部１１から剥がし落とすことができる上、捕集部１１の一箇所に収集させることができる。このように捕集部１１の一箇所に収集させたり捕集部１１から排水ゴミや髪の毛を剥がすことができ、捕集部１１内に収集された排水ゴミや髪の毛が捕集部１１から簡単に捨てることができるようになった。また、方向規制装置を構成したことで、従来技術と比較し、枝管３の形状に頼ることなく箱体２内で方向性を付与させた排水を発生させることができるようになった。
請求項２に記載の本発明は、水流規制装置１４を箱体２から別体として構成して尚かつ着脱自在に構成したことから、封水パーツ７の形状が大型であっても、排水口１から水流規制装置１４を取り外すことで、簡単に封水パーツ７を排水口から取り外すことが出来る。また、水流規制装置１４の形状に方向性があっても、水流規制装置１４は別体となっているため水流規制装置１４の形状にあわせて位置変更をおこなうことができる。また、枝管３の位置変更があっても、水流規制装置１４を取り外して適宜枝管３の位置にあわせて水流規制装置１４を付け替えることが出来る。
請求項３に記載の排水装置は、封水パーツ７は脱着自在に配置構成されていることから、箱体２から封水パーツ７を脱着させることができるので、使用者が適宜封水パーツ７を脱着させることで、従来なら箱体２の内部まで清掃できなかったものが清掃することができるようになった。
請求項４に記載の排水装置は、封水パーツ７を接続部５に配置構成したことから、排水口１から使用者の手が届く範囲の箱体２内部が凸凹形状にならずフラット形状になるので、使用者にとって清掃がしやすくなった。また、封水パーツ７を取り外すことが出来るので、箱体２より下流に高圧洗浄の管体を挿通させることができるので、メンテナンスが簡単となる。
請求項５に記載の排水装置は、水流規制装置１４を箱体２底面に構成したリブとしたことから、装置自身を大きく大がかりな物とせずに箱体２内で方向性を持たせた排水とすることができる。
請求項６に記載の排水装置は、水流規制装置１４のリブを、枝管３と対向する面に角度を備えて構成したことから、箱体２内の排水が捕集部１１内に侵入するよう排水の方向性を付与することが出来る。
請求項７に記載の排水装置は、水流規制装置１４のリブを、箱体２底面から上方に向かって立設して構成した多角錐状としたことから、箱体２内の排水が捕集部１１内に侵入するよう排水の方向性を付与することが出来る。
請求項８に記載の排水装置は、水流規制装置１４のリブを、箱体２底面から上方に向かって立設して構成した円錐状としたことから、箱体２内の排水が捕集部１１内に侵入するよう排水の方向性を付与することができる。
請求項９に記載の排水装置は、水流規制装置１４のリブを、箱体２底面から上方に向かって立設して構成した多角柱状としたことから、箱体２内の排水が捕集部１１内に侵入するよう排水の方向性を付与することができる。
請求項１０に記載の排水装置は、水流規制装置１４のリブを、箱体２底面から上方に向かって立設して構成した円柱状としたことから、箱体２内の排水が捕集部１１内に侵入するよう排水の方向性を付与することができる。
請求項１１に記載の排水装置は、水流規制装置１４のリブを、枝管３に対向する面がなだらかな湾曲面としたことから、箱体２内の排水が捕集部１１内に侵入するよう排水の方向性を付与することができる。
請求項１２に記載の排水装置は、水流規制装置１４のリブを、箱体２底面から上方に向かって立設して構成した、上面視三日月形状のリブとしたことから、箱体２内の排水が捕集部１１内に侵入するよう排水の方向性を付与することができる。
請求項１３に記載の排水装置は、前記水流規制装置１４を、箱体２内の任意の箇所に脱着可能に配置されて、且つ水流を規制する整流羽根１６を備えて構成した整流パーツ１５としたことから、排水口１側から適宜使用者が簡単に整流パーツ１５を脱着することができ、排水装置内の従来で有れば手が届かなかったを簡単に清掃することができる。また、整流パーツ１５自身も簡単に清掃することが出来る。
請求項１４に記載の排水装置は、前記整流パーツ１５の整流羽根１６を、箱体２上方へ向かって湾曲して構成したことから、箱体２内の排水が捕集部１１内に侵入するよう排水の方向性を付与することができる。
請求項１５に記載の排水装置は、整流パーツ１５の整流羽根１６を、箱体２下方へ向かって湾曲して構成したことから、箱体２内の排水が捕集部１１内に侵入するよう排水の方向性を付与することができる。
請求項１６に記載の排水装置は、前記捕集部１１に閉塞部２４を構成したことから、箱体２内で方向性を備えた水流が発生したとき、その水流が閉塞部２４に衝突することでさらに水流に方向性が付与されることができる。
【実施例】
【００２８】
以下に本発明の第１実施例を、図面を参照しつつ説明する。
本発明の排水装置は、浴室に用いられる排水装置であって、図１に図示した排水装置である。以下に排水装置の実施例を、図面を参照しつつ説明する。
図１に図示した本実施例の排水装置は、以下に記載した浴槽１７と、洗い場パン１８と、浴槽パン２０と、エルボ部材２２と、排水口１と、箱体２と、枝管３と、トラップ室４と、接続部５と、排出口６と、封水パーツ７と、封水部２３と、捕集部１１と、水流規制装置１４と、から構成される。
浴槽１７は、箱体であって、底部に排水を排出する開口を構成して成る。
洗い場パン１８は、使用者が体を洗ったりする空間であって、底部に洗い場パン１８上に発生した排水を流出する洗い場開口部１９を構成して成る。
浴槽パン２０は、洗い場パン１８に隣接して構成され、上部に浴槽１７を載置してなる。また、底部には浴槽パン２０上の排水及び浴槽１７からの排水を排出するための浴槽パン開口部２１を構成して成る。
排水口１は、排水が流入する開口であって、後記する箱体２の上部に開口して構成される。また、本実施例では洗い場パン１８の洗い場開口部１９に接続されて、洗い場パン１８上に発生した排水を当該排水口１より流入する。
エルボ部材２２は、内部に排水を通過させる部材であって、断面視略Ｌ字状であって、一端が浴槽パン２０の浴槽パン開口部２１に取り付けられて、他端が後述する枝管３に接続されて構成される。また、当該エルボ部材２２は、浴槽１７からの排水及び浴槽パン上で発生した排水を内部に排水させる構成となっている。
箱体２は、ケーシングであって、内部に封水を一時貯水しておく空間を構成して成る。また、後記する枝管３や接続部５、水流規制装置１４をその内部に構成して成る。
枝管３は、箱体２側面に構成される管体であって、本実施例では浴槽パン２０の浴槽パン開口部２１に取り付けられたエルボ部材２２が接続されて、エルボ部材２２内を流通してきた浴槽１７からの排水及び浴槽パン２０上に発生した排水を箱体２内部へと流入させる。
トラップ室４は、箱体２より下流に隣接して構成されるケーシング状の部材である。内部に後述する封水パーツ７とで封水を貯水する空間を形成してなる。
接続部５は、箱体２とトラップ室４を接続する管体であって、箱体２内に流入した排水をトラップ室４側へと排出するように構成されて成る。
排出口６は、トラップ室４側面に構成される部材であって、トラップ室４内に流入した排水を外部に排出するために構成されてなる。排出口６には下水管が接続され、内部の排水を最終的には下水管へと排水する。
封水パーツ７は、脱着自在に箱体２側から接続部５に挿入して構成される断面視Ｌ字状の管体であって、一方の端部を流入口８として接続部５に取付時、箱体２底面に向くように構成され、更に流入口８を箱体２内に位置するよう取り付けられる。封水パーツ７の他端はトラップ室４内へ排水を流出させる流出口９を構成して接続部５に脱着自在に挿入して取り付けられる。また、封水パーツ７外周にはオーリング１０が配置構成され、封水パーツ７を接続部５に設置する際、接続部５の内周面に水密的に接続する効果を有する。また、封水パーツ７はオーリング１０で接続部５と接続するため、脱着自在に接続部５に取り付けることが出来る。尚、当該封水パーツ７は洗い場パン１８の排水口１から簡単に脱着することができる。そして、封水パーツ７の流出口９側の上壁を、傾斜面をそなえて構成した。このように構成することで、封水パーツ７内の排水は傾斜した上壁に沿うように当接して流出口９から排出されるため、円滑に排水が流出口９からトラップ室４へ排出される。
封水部２３は、箱体２に構成された排出口６までの高さから封水パーツ７の流入口８の高さまでの間に貯水している排水であって、下水からの臭気や害虫を室内側へと逆流することを防止する。
捕集部１１は、排水中のゴミや髪の毛を捕集する部材であって、図８に示すように平面視円形状の枠体及びゴミや髪の毛を捕集する網目部分を有したカゴ部１２、取手部１３、網状になっていない閉塞部２４とで構成される。また、前記排水口１に配置して、洗い場パン１８で発生した排水中の髪の毛やゴミを捕集する。カゴ部１２は枠体に対し上面視半円形状で構成され、カゴ部１２は箱体２内の封水部２３に浸されるよう配置構成される。取手部１３は、上面視枠体のカゴ部１２とは逆側の半円部分に構成され、上方に向けて突出して構成される。当該取手部１３が構成されているから、使用者は捕集部１１のゴミや髪の毛が捕集されるカゴ部１２を触ることなく捕集部１１を排水口１から取り外してゴミや髪の毛を廃棄することができる。また、閉塞部２４は、箱体２内の排水が水流規制装置１４に当接して上昇した排水が捕集部１１の閉塞部２４に当接する事で、よりカゴ部１２内に排水が流入しやすいように排水が方向付けられる。
水流規制装置１４は、箱体２の枝管３に直面する位置であって、箱体２底面から上方に向かって突出して構成された三角錐形状のリブから成る。この水流規制装置１４により、枝管３側から箱体２内に流入してきた排水はリブの三角錐に当接して上方に流れ、更には箱体２内で縦向きに回転するように方向性を持たせるようにして流れるようになる。
【００２９】
このように構成された排水装置は以下のように施工される。
浴槽パン２０と洗い場パン１８を隣り合わせに配置させ、浴槽１７を浴槽パン２０に載置し、その後浴槽１７の開口とエルボ部材２２を浴槽パン２０の浴槽パン開口部２１を介して接続させ、浴槽パン開口部２１の裏面にエルボ部材２２を接続する。エルボ部材２２は予め工場などで箱体２の枝管３と接続されて成る。そして、洗い場パン１８の開口裏面に箱体２の排水口１が接続して構成される。その後排水口１から封水パーツ７を接続部５に着脱自在に取り付けて施工が終了する。
【００３０】
このように構成された排水装置は以下のような排水の流れとなる。
浴槽１７から発生した排水は浴槽１７の開口から浴槽パン開口部２１を介してエルボ部材２２内に流入する。また、浴槽パン２０上に発生した排水は浴槽パン開口部２１からエルボ部材２２内に流入する。
エルボ部材２２内に流入した排水は排水装置の枝管３に流入し、枝管３を介して箱体２内に流入する。箱体２に流入した排水は、箱体２内に貯水している封水部２３内に到達するが、このとき、図１の矢印で示したように箱体２底面に構成された水流規制装置１４の三角錐のリブに当接し、水流が上方の流れになり、封水部２３内で縦方向の回転渦流となり、箱体２内で排水が方向性を持つようになる。この方向性を持たせた排水の流れは、排水口１に取り付けられて箱体２内の封水内に浸かるように配置構成された補集部のカゴ部１２内に勢いよく流れ込み、カゴ部１２内で捕集された、捕集部１１内でへばりつくように付着していた排水中のゴミや髪の毛を剥がし落とすことができる。このとき、捕集部１１の閉塞部２４に、水流規制装置１４に当接して上昇した排水が勢いづいて捕集部１１の閉塞部２４に当接する事で、よりカゴ部１２内に排水が流入しやすいように排水が方向付けられる。カゴ部１２内で剥がし落としたゴミや髪の毛は、封水内で方向性を持たせた排水の水流により、カゴ部１２の底面の一箇所に収集させることが出来る。また、水流規制装置１４を箱体２底面にリブ状にて構成したことから、枝管３から箱体２内に流入した排水が箱体２底面の水流規制装置１４のリブに当接して排水の流を方向付けることができ、捕集部１１のカゴ部１２内に直接的に排水の流れが流入する。従来例の如く箱体２の内周面の形状によって排水の流れを方向付けないため、捕集部１１の、特にカゴ部１２の形状を上面視円形に形成しなくてもよくなった。従って、捕集部１１の形状が多岐にわたって構成することが出来るようになったから、従来例のように上面視カゴ部１２を円形状にしなくてもよくなり、設計の幅を広げることが出来る。更に、適宜より捕集率が向上した捕集部１１に対応することができる。
そして、箱体２の封水部２３内で縦渦状に排水が流れたあと、接続部５に流入し、接続部５の封水パーツ７を介してトラップ室４内に流入する。このように封水パーツ７の封水部２３を介してトラップ室４の排出口６からトラップ室４外へ排水は排出され、最終的には下水管へと排水される。
また、洗い場パン１８からの排水は、洗い場開口部１９から箱体２上部に構成された排水口１から箱体２内に流入し、箱体２内の封水部２３を通過し、接続部５、接続部５に配置された封水パーツ７を介してトラップ室４内に流入する。そして、封水部２３を介された排水は最終的にトラップ室４側面に構成された排出口６からトラップ室４外へ排出される。排出口６から排水された排水は下水管へと排出される。
【００３１】
以下に本発明の第２実施例を、図面を参照しつつ説明する。
本発明の排水装置は、浴室に用いられる排水装置であって、図２に図示した排水装置である。以下に排水装置の実施例を、図面を参照しつつ説明する。
図２に図示した第２実施例の排水装置は、以下に記載した浴槽１７と、洗い場パン１８と、浴槽パン２０と、エルボ部材２２と、排水口１と、箱体２と、枝管３と、トラップ室４と、接続部５と、排出口６と、封水パーツ７と、封水部２３と、捕集部１１と、水流規制装置１４と、から構成される。
浴槽１７は、箱体であって、底部に排水を排出する開口を構成して成る。
洗い場パン１８は、使用者が体を洗ったりする空間であって、底部に洗い場パン１８上に発生した排水を流出する洗い場開口部１９を構成して成る。
浴槽パン２０は、洗い場パン１８に隣接して構成され、上部に浴槽１７を載置してなる。また、底部には浴槽パン２０上の排水及び浴槽１７からの排水を排出するための浴槽パン開口部２１を構成して成る。
排水口１は、排水が流入する開口であって、後記する箱体２の上部に開口して構成される。また、本実施例では洗い場パン１８の洗い場開口部１９に接続されて、洗い場パン１８上に発生した排水が当該排水口１より流入する。
エルボ部材２２は、内部に排水を通過させる部材であって、断面視略Ｌ字状であって、一端が浴槽パン２０の浴槽パン開口部２１に取り付けられて、他端が後述する枝管３に接続されて構成される。また、当該エルボ部材２２は、浴槽１７からの排水及び浴槽パン２０上で発生した排水を内部に排水させる構成となっている。
箱体２は、ケーシングであって、内部に封水を一時貯水しておく空間を構成して成る。また、後記する枝管３や接続部５、水流規制装置１４をその内部に構成して成る。
枝管３は、箱体２側面に構成される管体であって、本実施例では浴槽パン２０の浴槽パン開口部２１に取り付けられたエルボ部材２２が接続されて、エルボ部材２２内を流通してきた浴槽１７からの排水及び浴槽パン２０上に発生した排水を箱体２内部へと流入させる。
トラップ室４は、箱体２より下流に隣接して構成されるケーシング状の部材である。内部に後述する封水パーツ７とで封水を貯水する空間を形成してなる。
接続部５は、箱体２とトラップ室４を接続する管体であって、箱体２内に流入した排水をトラップ室４側へと排出するように構成されて成る。
排出口６は、トラップ室４側面に構成される部材であって、トラップ室４内に流入した排水を外部に排出するために構成されてなる。排出口６には下水管が接続され、内部の排水を最終的には下水管へと排水する。
封水パーツ７は、脱着自在に箱体２側から接続部５に挿入して構成される断面視Ｌ字状の管体であって、一方の端部を流入口８として接続部５に取付時、箱体２底面に向くように構成され、更に流入口８を箱体２内に位置するよう取り付けられる。封水パーツ７の他端はトラップ室４内へ排水を流出させる流出口９を構成して接続部５に脱着自在に挿入して取り付けられる。また、封水パーツ７外周にはオーリング１０が配置構成され、封水パーツ７を接続部５に設置する際、接続部５の内周面に水密的に接続する効果を有する。また、封水パーツ７はオーリング１０で接続部５と接続するため、脱着自在に接続部５に取り付けることが出来る。尚、当該封水パーツ７は洗い場パン１８の排水口１から簡単に脱着することができる。
封水部２３は、箱体２に構成された排出口６までの高さから封水パーツ７の流入口８の高さまでの間に貯水している排水であって、下水からの臭気や害虫を室内側へと逆流することを防止する。
捕集部１１は、図８に示すように排水中のゴミや髪の毛を捕集する部材であって、平面視円形状の枠体及びゴミや髪の毛を捕集する網目部分を有したカゴ部１２、取手部１３、網状になっていない閉塞部２４とで構成される。また、前記排水口１に配置して、洗い場パン１８で発生した排水中の髪の毛やゴミを捕集する。カゴ部１２は枠体に対し上面視半円形状で構成され、カゴ部１２は箱体２内の封水部２３に浸されるよう配置構成される。取手部１３は、上面視枠体のカゴ部１２とは逆側の半円部分に構成され、上方に向けて突出して構成される。当該取手部１３が構成されているから、使用者は捕集部１１のゴミや髪の毛が捕集されるカゴ部１２を触ることなく捕集部１１を排水口１から取り外してゴミや髪の毛を廃棄することができる。また、閉塞部２４は、箱体２内の排水が水流規制装置１４に当接して上昇した排水が捕集部１１の閉塞部２４に当接する事で、よりカゴ部１２内に排水が流入しやすいように排水が方向付けられる。
水流規制装置１４は、枝管３内に着脱自在に配置される筒状であって、箱体２内上方へ向かって湾曲して構成した整流羽根１６を備えた整流パーツ１５である。尚、当該整流羽根１６は、枝管３に配置された際は枝管３の底面に一番近い場所から上方に向かって湾曲して構成される。尚、当該整流パーツ１５は箱体２の排水口１から使用者が適宜脱着する事が可能であって、適宜清掃することが出来る。当該整流パーツ１５は、枝管３からの排水が発生時、排水が整流羽根１６に当接して上方に流れ、更には箱体２内で縦向きに回転するように方向性を持たせるようにして流れるようになる。
【００３２】
このように構成された排水装置は以下のように施工される。
浴槽パン２０と洗い場パン１８を隣り合わせに配置させ、浴槽１７を浴槽パン２０に載置し、その後浴槽１７の開口とエルボ部材２２を浴槽パン２０の浴槽パン開口部２１を介して接続させ、浴槽パン開口部２１の裏面にエルボ部材２２を接続する。エルボ部材２２は予め工場などで箱体２の枝管３と接続されて成る。そして、洗い場パン１８の開口裏面に箱体２の排水口１が接続して構成される。その後排水口１から封水パーツ７を接続部５に、また、整流パーツ１５を枝幹部にそれぞれ着脱自在に取り付けて施工が終了する。
【００３３】
このように構成された排水装置は以下のような排水の流れとなる。
浴槽１７から発生した排水は浴槽１７の開口から浴槽パン開口部２１を介してエルボ部材２２内に流入する。また、浴槽パン２０上に発生した排水は浴槽パン開口部２１からエルボ部材２２内に流入する。
エルボ部材２２内に流入した排水は排水装置の枝管３に流入し、枝管３を介して箱体２内に流入する。そうすると排水は箱体２内に貯水している封水部２３内に到達するが、この時、図２の矢印で示したように枝管３に配置された水流規制装置１４の整流パーツ１５の上向きの整流羽根１６に排水が当接し、水流が上方の流れになって、封水部２３内で縦方向の回転渦流となり、箱体２内で排水が方向性を持つようになる。この方向性を持たせた排水の流れは、排水口１に取り付けられて箱体２内の封水内に浸かるように配置構成された補集部のカゴ部１２内に勢いよく流れ込み、カゴ部１２内で捕集された、捕集部１１内でへばりつくように付着していた排水中のゴミや髪の毛を剥がし落とすことができる。このとき、捕集部１１の閉塞部２４に、水流規制装置１４に当接して上昇した排水が勢いづいて捕集部１１の閉塞部２４に当接する事で、よりカゴ部１２内に排水が流入しやすいように排水が方向付けられる。
尚、カゴ部１２内で剥がし落としたゴミや髪の毛は、封水内で方向性を持たせた排水の水流により、カゴ部１２の底面の一箇所に収集させることが出来る。また、水流規制装置１４を、上向きの整流羽根１６を構成した整流パーツ１５として枝管３内に脱着可能に設置したことから、枝管３から箱体２内に流入した排水が整流パーツ１５の整流羽根１６に当接して排水の流を方向付けることができ、捕集部１１のカゴ部１２内に直接的に排水の流れが流入する。従来例の如く箱体２の内周面の形状によって排水の流れを方向付けないため、捕集部１１の、特にカゴ部１２の形状を上面視円形に形成しなくてもよくなった。従って、捕集部１１の形状が多岐にわたって構成することが出来るようになったから、従来例のように上面視カゴ部１２を円形状にしなくてもよくなり、設計の幅を広げることが出来る。更に、適宜より捕集率が向上した捕集部１１に対応することができる。
そして、箱体２の封水部２３内で縦渦状に排水が流れたあと、接続部５に流入し、接続部５の封水パーツ７を介してトラップ室４内に流入する。このように封水パーツ７の封水部２３を介してトラップ室４の排出口６からトラップ室４外へ排水は排出され、最終的には下水管へと排水される。
また、洗い場パン１８からの排水は、洗い場開口部１９から箱体２上部に構成された排水口１から箱体２内に流入し、箱体２内の封水部２３を通過し、接続部５、接続部５に配置された封水パーツ７を介してトラップ室４内に流入する。そして、封水部２３を介された排水はトラップ室４側面に構成された排出口６からトラップ室４外へ排出される。排出口６から排水された排水は最終的には下水管へと排出される。
【００３４】
また、本発明の実施例は上記に記載した実施例のほかにも、特許請求の範囲を逸脱しない範囲で適宜変更が可能である。
例えば前記実施例では水流規制装置１４のリブが円錐形状であるが、この形状は特に限定されるべき物ではなく、図５のような角度を備えた物や多角錐形状や図４の多角柱、円柱、図３のようになだらかな曲面形状、図６及び図７に示したように上面視三日月状のリブであっても構わない。枝管３から流入する排水が縦方向に渦を巻く形状で有れば特に問題がない。また、前記実施例では、水流規制装置１４のリブを箱体２と一体的に構成した形状であるが、適宜別パーツで構成しても構わない。
【００３５】
また、前記実施例では、水流規制装置１４の整流パーツ１５の整流羽根１６を枝管３の下側から箱体２上方向にむけて湾曲して構成されているが、図３に示したように枝管３の上側から箱体２下方向に向かって湾曲して構成される形状としても構わない。枝管３から流入する排水が縦方向に渦を巻く形状で有れば特に問題がない。
【００３６】
また、前記実施例では水流規制装置１４を一つのみ構成しているが、図３に示したように枝管３に配置された整流パーツ１５及び箱体２底面から突出して構成した水流規制装置１４のリブと、二つ以上構成しても構わない。枝管３から流入する排水が縦方向に渦を巻く形状で有れば特に問題がない。
【００３７】
また、図９に示したように、水流規制装置１４を別体に構成し、着脱自在としてもよい。この場合には、封水パーツ７が大型になっても、排水口１から水流規制装置１４を取り外せば簡単に封水パーツ７が取り外せるようになるため、掃除やメンテナンスを行うことが容易である。また、図９にように、封水パーツ７自身に水流規制装置１４の整流羽根１６を構成しても良い。また、水流規制装置１４を複数構成しても良い。
【図面の簡単な説明】
【００３８】
【図１】本発明の第１実施例を示す断面図である。
【図２】本発明の第２実施例を示す断面図である。
【図３】本発明のその他の実施例を示す断面図である。
【図４】本発明のその他の実施例を示す断面図である。
【図５】本発明のその他の実施例を示す断面図である。
【図６】本発明のその他の実施例を示す図７におけるｂ−ｂ’断面図である。
【図７】本発明のその他の実施例を示す図６におけるａ−ａ’断面図である。
【図８】（ａ）本発明の捕集部を示す上面図であり、（ｂ）（ａ）のＡ−Ａ’断面図である。
【図９】本発明のその他の実施例を示す断面図である。
【図１０】従来例を示す断面図である。
【図１１】従来例を示す断面図である。
【符号の説明】
【００３９】
１    排水口
２    箱体
３    枝管
４    トラップ室
５    接続部
６    排出口
７    封水パーツ
８    流入口
９    流出口
１０  オーリング
１１  捕集部
１２  カゴ部
１３  取手部
１４  水流規制装置
１５  整流パーツ
１６  整流羽根
１７  浴槽
１８  洗い場パン
１９  洗い場開口部
２０  浴槽パン
２１  浴槽パン開口
２２  エルボ部材
２３  封水部
２４  閉塞部
【図１】
2009270344.tif 000003
【図２】
2009270344.tif 000004
【図３】
2009270344.tif 000005
【図４】
2009270344.tif 000006
【図５】
2009270344.tif 000007
【図６】
2009270344.tif 000008
【図７】
2009270344.tif 000009
【図８】
2009270344.tif 000010
【図９】
2009270344.tif 000011
【図１０】
2009270344.tif 000012
【図１１】
2009270344.tif 000013